(57)【特許請求の範囲】
【請求項１】
複数の企業の各々のＷｅｂページを提供するためのＷｅｂサイトを管理する企業Ｗｅｂページ管理システムであって、
前記企業の端末のＷｅｂブラウザからのアクセスに対して、前記複数の企業の各々のＷｅｂページのうち、当該企業に対応付けられたＷｅｂページを応答するＷｅｂサーバと、
前記企業毎のデータを登録して管理する登録部と、
前記登録された企業毎のデータを用いて、前記企業毎のＷｅｂページを構成するためのデータである、企業毎のＣｏｏｋｉｅデータを生成して管理する生成部と、
前記企業のＩＤを含む情報と、前記企業毎のＣｏｏｋｉｅデータとを対応付けて管理し、前記企業の端末のＷｅｂブラウザからのアクセスの際には、当該企業のＩＤを含む情報に対応付けられる前記企業毎のＣｏｏｋｉｅデータを取り出し、前記Ｗｅｂページのテンプレートのデータと合わせることで、当該企業に対応したＷｅｂページを構成する処理部と、を有し、
前記企業毎のＷｅｂページは、前記Ｗｅｂページのテンプレートのデータに含まれる複数のページから選択される複数のページの遷移、によって構成され、
前記企業毎のＣｏｏｋｉｅデータは、当該企業で特有の、前記複数のページの遷移、に関する制御情報を含む構成であり、
前記企業の端末のＷｅｂブラウザは、前記Ｗｅｂサーバへのアクセスに伴い、前記企業毎のＣｏｏｋｉｅデータを当該端末内に保存し、次回以降の前記企業毎のＷｅｂページにアクセスする際に当該端末内のＣｏｏｋｉｅデータを使用し、
上記構成により前記複数の企業の各々のＷｅｂページで前記複数のページの遷移を含む表示方法を含む表示内容を異ならせること、を特徴とする企業Ｗｅｂページ管理システム。
【請求項２】
請求項１記載の企業Ｗｅｂページ管理システムにおいて、
前記Ｗｅｂサイトは、前記複数の企業の各々における前記企業に所属する個人の各々の端末のＷｅｂブラウザに対して所定のサービス情報を提供すること、を特徴とする企業Ｗｅｂページ管理システム。
【請求項３】
請求項１記載の企業Ｗｅｂページ管理システムにおいて、
前記登録部は、登録用Ｗｅｂページを提供し、当該登録用Ｗｅｂページの画面で、前記Ｗｅｂサイトの管理者、あるいは、前記企業の担当者、の操作に従って、前記企業毎のデータを入力して登録する処理を行うこと、を特徴とする企業Ｗｅｂページ管理システム。
【請求項４】
請求項１記載の企業Ｗｅｂページ管理システムにおいて、
前記企業毎のデータは、当該企業で特有のテキスト及び画像を含み、
前記企業毎のＣｏｏｋｉｅデータは、前記特有のテキスト及び画像ファイル名のデータまたはその識別情報または制御情報を含んで成り、
上記構成により前記複数の企業の各々のＷｅｂページで前記テキスト及び画像を異ならせること、を特徴とする企業Ｗｅｂページ管理システム。
【請求項５】
請求項１記載の企業Ｗｅｂページ管理システムにおいて、
前記Ｗｅｂサーバと前記Ｗｅｂブラウザとの間の通信では前記企業毎のＣｏｏｋｉｅデータを授受し、
前記Ｗｅｂブラウザは、前記企業毎のＣｏｏｋｉｅデータを用いて前記企業毎のＷｅｂページを組み立てて表示し、
前記企業毎のＣｏｏｋｉｅデータは、前記企業毎の特有のテキスト及び画像ファイル名のデータまたはその識別情報または制御情報を含んで成り、
前記Ｗｅｂブラウザは、前記Ｗｅｂサーバから受信した前記Ｃｏｏｋｉｅデータを保存し、次回以降の前記企業毎のＷｅｂページにアクセスする際に使用すること、を特徴とする企業Ｗｅｂページ管理システム。
【発明の詳細な説明】
【技術分野】
【０００１】
本発明は、インターネット上のＷｅｂサイトの提供・管理等の技術に関し、特に、複数の企業等の団体・組織毎のＷｅｂページを提供・管理等する技術に関する。
【背景技術】
【０００２】
インターネット上において、各種の企業等の団体・組織等（複数の個人の集まり）（以下、グループ単位とも称する）のＷｅｂサイト（Ｗｅｂページ）を有するが、それらの複数の企業のＷｅｂページ群をＷｅｂサーバ側で統合的に管理し提供する情報処理システム（以下、企業Ｗｅｂページ管理システムと称する）を有する。複数のクライアント企業に対して基本的に共通の内容のサービスを提供する。サービスの一例としては、証券会社が提供（運営）する、企業毎の持ち株会の情報照会サービスなどが挙げられる。
【０００３】
上記企業Ｗｅｂページ管理システムにおいて、各クライアントとなる企業は、個人（従業員等）のＰＣ等の端末のＷｅｂブラウザから、本システムのＷｅｂサーバ等による共通（トップ）ページを介して自社用のＷｅｂページへアクセスしサービスの情報を閲覧する。Ｗｅｂページでの表示内容は、所定のサービスに対応して、複数のクライアント企業で基本的に共通の内容を持つ。即ち、Ｗｅｂページの管理者・作成者等（Ｗｅｂデザイナー等）の側は、基本的に共通のフォーマット（テンプレート等）のＷｅｂページのデータ等を用いることができる。
【０００４】
上記企業Ｗｅｂページ管理システムに係る先行技術例としては、特開２００４−１３３６９０号公報（特許文献１）（特定企業向けＷｅｂサイトの生成方法等）、特開２００９−１４０２１９号公報（特許文献２）（動的Ｗｅｂページ作成機能を有するサーバ）などがある。
【０００５】
一方、Ｗｅｂの公知技術としてHTTP Cookie（Ｃｏｏｋｉｅ：クッキー）がある。クライアントコンピュータのＷｅｂブラウザがＷｅｂサーバ（Ｗｅｂページ）に対して初回にアクセスした際、Ｗｅｂサーバは、Ｗｅｂブラウザに対し、当該Ｗｅｂサーバ（Ｗｅｂページ）専用のＣｏｏｋｉｅ情報を発行し、Ｗｅｂブラウザ内に保存させる。Ｗｅｂブラウザが、次回以降そのＷｅｂサーバ（Ｗｅｂページ）にアクセスした際には、保存しておいたＣｏｏｋｉｅ情報をＷｅｂサーバに送信し、ＷｅｂサーバがそのＣｏｏｋｉｅ情報を参照することで、当該Ｗｅｂブラウザに応じたＷｅｂページを提供する。
【０００６】
従来多くの場合、Ｃｏｏｋｉｅ情報は、ユーザ名（ＩＤ）などの接続情報の管理、行動履歴情報の管理、登録情報（氏名、住所など）の管理、等に利用されている。
【先行技術文献】
【特許文献】
【０００７】
【特許文献１】特開２００４−１３３６９０号公報
【特許文献２】特開２００９−１４０２１９号公報
【発明の概要】
【発明が解決しようとする課題】
【０００８】
上記企業Ｗｅｂページ管理システムにおいて、管理・提供する複数の企業Ｗｅｂページに関して、企業Ｗｅｂページの表示内容を、クライアント企業毎に異なる内容にしたい場合がある。例えば、Ｗｅｂページ内の表示テキスト（例えばお報せの文言等）や表示画像を、当該企業の要望などに応じて設定・変更等することである。
【０００９】
上記企業Ｗｅｂページ管理システムの構成に係わる従来技術例として以下があるが、それぞれ課題がある。
【００１０】
（第１の従来技術）  企業毎のＷｅｂページを個別に静的に作成して管理しクライアントへ提供する方式（静的ページ構成方式）。この場合、ＨＴＭＬ等を用いて、個別の企業Ｗｅｂページの表示内容等を詳細に設定することができるが、Ｗｅｂデザイナー等により多数の企業Ｗｅｂページを作成・変更等するためには、多大な作業の手間やコスト等がかかり、負担が大きい。企業Ｗｅｂページ毎の内容修正の完了までに要する時間も長くなりがちである。
【００１１】
（第２の従来技術）  ＪＳＰ（Java Server Pages）（登録商標）等の技術を用いて、サーバ側で動的に企業Ｗｅｂページを生成（構成）して提供する方式（動的ページ構成方式）。複数の企業で共通のＷｅｂページ（テンプレート等）の内部にJavaコード等を埋め込み、Ｗｅｂブラウザからのアクセスに対して、Ｗｅｂサーバ側で動的に企業毎の表示内容のＷｅｂページを生成して応答する。この場合、サーバ側での自動処理化によりＷｅｂデザイナー等の人的な作業の負担が低減できるが、サーバ側の情報処理の負荷が高くなり、システム運営のコスト等が高くなる。
【００１２】
本発明の主な目的は、上記企業Ｗｅｂページ管理システムに係わり、Ｗｅｂページの管理者・作成者等（Ｗｅｂデザイナー等）の負担を軽減できつつ、多数の企業毎のＷｅｂページを取り扱うこと等が実現できる技術を提供することである。
【課題を解決するための手段】
【００１３】
本発明の代表的な実施の形態は、上記企業Ｗｅｂページ管理システム等であって、以下に示す特徴を有する。本システム形態は、例えば、複数の企業の各々のＷｅｂページを提供するためのＷｅｂサイトを管理する企業Ｗｅｂページ管理システムであって、企業の端末のＷｅｂブラウザからのアクセスに対して、複数の企業の各々のＷｅｂページのうち、当該企業に対応付けられたＷｅｂページを応答するＷｅｂサーバと、企業毎のデータを登録して管理する登録部と、登録された企業毎のデータを用いて、企業毎のＷｅｂページを構成するためのデータである、企業毎のＣｏｏｋｉｅデータを生成して管理する処理部と、企業のＩＤを含む情報と企業毎のＣｏｏｋｉｅデータとを対応付けて管理し、企業の端末のＷｅｂブラウザからのアクセスの際には、当該企業のＩＤを含む情報に対応付けられる企業毎のＣｏｏｋｉｅデータを取り出し、Ｗｅｂページのテンプレートのデータと合わせることで、当該企業に対応したＷｅｂページを構成する処理部と、を有し、複数の企業の各々のＷｅｂページで表示内容を異ならせる機能を有する。
【発明の効果】
【００１４】
本発明の代表的な実施の形態によれば、上記企業Ｗｅｂページ管理システムに係わり、Ｗｅｂページの管理者・作成者等（Ｗｅｂデザイナー等）の負担を軽減できつつ、多数の企業毎のＷｅｂページを取り扱うこと等が実現できる。
【図面の簡単な説明】
【００１５】
【図１】本発明の一実施の形態のシステム（企業Ｗｅｂページ管理システム）に関する全体の構成を示す図である。
【図２】本システムにおいてクライアント（企業・個人）に対して提供するＷｅｂサイト（Ｗｅｂページ）の構成例などについて示す図である。
【図３】本システムにおける処理や通信の例を示す図である。
【発明を実施するための形態】
【００１６】
以下、本発明の実施の形態を図面（図１〜図３）に基づいて詳細に説明する。本発明の一実施の形態のシステム（企業Ｗｅｂサイト管理システム）では、Ｗｅｂの公知技術であるＣｏｏｋｉｅ等の技術を応用し、対象とする多数の企業（グループ単位）の企業毎のＷｅｂページ（以下、企業Ｗｅｂページ）を提供及び管理等するシステムである。企業の個人（従業員等）の端末のＷｅｂブラウザからのアクセスに対して、Ｗｅｂサーバ側でリアルタイムで企業Ｗｅｂページを構成（企業Ｃｏｏｋｉｅデータを用いる）して応答する。また、Ｗｅｂデザイナー等あるいは企業の担当者等は、企業毎に異なる企業データを、本システム（企業コンテンツ管理システム）に対して登録することができる。この登録企業データを利用して、企業Ｃｏｏｋｉｅデータを生成する。クライアント企業（個人）からのアクセスの際には、企業Ｃｏｏｋｉｅデータと企業Ｗｅｂページのテンプレート等を用いて、企業Ｗｅｂページを構成し、応答する。
【００１７】
［システム］
図１において、本システムに関する全体構成を示している。インターネット９０上、大きくは、Ｗｅｂサイトシステム１と、企業コンテンツ管理システム（Ｃｏｏｋｉｅ生成システム）２と、クライアント（企業）−コンピュータ（端末）３と、を有して構成される。企業−端末３には、Ｗｅｂブラウザ３０等を備える。図１では例として企業Ａの端末のＷｅｂブラウザ３０Ａ等を示す。
【００１８】
Ｗｅｂサイトシステム１は、Ｗｅｂサーバ１０と、Ｃｏｏｋｉｅマッピング部１１と、サービス情報ＤＢ８０とを有する。Ｗｅｂサーバ１０は、Ｗｅｂサイトの各Ｗｅｂページ１２（データ）をＷｅｂブラウザ３０に対して提供する処理を行う。Ｗｅｂページ１２（データ）は、少なくとも、トップ（共通）Ｗｅｂページ４０と、企業毎の企業Ｗｅｂページ（４１Ａ等）とを含む。またＷｅｂサーバ１０（ないしアプリケーションサーバ等）は、サービス情報ＤＢ８０にアクセス（検索）することで、企業Ｗｅｂページの構成に必要な、企業サービス情報や個人サービス情報を取得する。
【００１９】
Ｃｏｏｋｉｅマッピング部１１は、図３のマッピングテーブル７０（企業−Ｃｏｏｋｉｅマッピングテーブル）を管理し、複数の企業（企業ＩＤ等）と複数のＣｏｏｋｉｅデータ（企業毎Ｃｏｏｋｉｅデータ６０）とのマッピング等の処理を行う。Ｃｏｏｋｉｅマッピング部１１は、例えばＷｅｂサーバ１０上で実装され動作する。
【００２０】
企業コンテンツ管理システム（Ｃｏｏｋｉｅ生成システム）２は、企業毎データ登録部２０と、企業毎Ｃｏｏｋｉｅデータ生成部２１と、を有する。企業コンテンツ管理システム２は、Ｗｅｂサイトシステム１と接続される。企業コンテンツ管理システム２での処理と、Ｗｅｂサイトシステム１での処理とは並列的に行われる。企業コンテンツ管理システム２は、各企業のコンテンツデータ（企業毎データ５０を含む）をデータベースに管理する。
【００２１】
企業毎データ登録部２０は、複数の企業（Ａ〜Ｃ等）の企業毎の特有のデータである企業データ（企業毎データ５０）を登録、管理する処理を行う。企業毎データ登録部２０では、Ｗｅｂデザイナー等の操作に従い、所定のＷｅｂページ画面（登録用Ｗｅｂページ）で企業毎データ５０（例えば企業Ａデータ５０Ａ等）を登録することができる。Ｗｅｂデザイナー等は、企業の担当者等からの情報データの提供（どんな手段でもよい）に基づき、企業データを登録用Ｗｅｂページ画面などに対して入力（登録）する。入力（登録）された企業データは、企業毎データ登録部２０からデータベース内（企業毎データ５０）に企業毎の管理情報データとして格納され管理される。
【００２２】
また特に、企業毎データ登録部２０では、インターネット９０を介して、クライアント企業側の端末３のＷｅｂブラウザ３０等から、企業データの登録処理を行う機能も有する。この機能を用いる場合、例えば、企業の担当者等の操作により、Ｗｅｂブラウザ３０等からインターネット９０を介して企業毎データ登録部２０にアクセスし、登録用Ｗｅｂページを提供する（図１中のａ１）。
【００２３】
上記登録作業は、登録用Ｗｅｂページでのデータ入力等の定型的な処理、あるいはインターネット９０を介した自動化処理として実現される。これにより、Ｗｅｂデザイナー等の作業の負担が軽減される。また所定の入力フォームにデータを入力するだけで済むので、企業の担当者等の側にとっても簡単である。
【００２４】
企業毎Ｃｏｏｋｉｅデータ生成部２１は、企業毎データ５０から企業毎Ｃｏｏｋｉｅデータ６０を生成する処理を行う。例えば企業Ａデータ５０Ａ（ファイル）から、企業ＡＣｏｏｋｉｅデータ６０Ａ（ファイル）を生成し、データベース内（企業毎Ｃｏｏｋｉｅデータ６０）に格納し管理する。
【００２５】
［Ｗｅｂサイト］
図２において、本システムで管理・提供の対象として適用するＷｅｂサイト（Ｗｅｂページ）の構成例などを示している。
【００２６】
適用例として、例えば証券システムに係わり、各企業及びその各個人毎の持ち株情報を提供（照会）する情報照会のサービス機能を持つＷｅｂサイトとする。本Ｗｅｂサイトは、例えば、トップ（共通）Ｗｅｂページ、企業Ｗｅｂページ（企業ＡＷｅｂページ等）、個人毎の情報のページ（個人ａ情報等）、を有する。本Ｗｅｂサイトのサービスにおけるトップ（共通）Ｗｅｂページから、クライアント企業のＩＤやパスワード（ＰＷ）等の入力・確認により、企業毎のＷｅｂページへ遷移する。例えば企業Ａの個人ａが企業ＡＷｅｂページを閲覧する。企業Ｗｅｂページの構成の際にはサービス情報ＤＢ８０内の該当の企業サービス情報を用いる。
【００２７】
また例えば企業Ａの各個人、例えば個人ａは、企業ＡＷｅｂページから、個人ａ単位での情報を要求して閲覧することができる。即ち、個人単位の情報の要求に対して、Ｗｅｂサーバ１０等により、サービス情報ＤＢ８０を検索して該当の例えば個人ａサービス情報を取り出して、その個人ａ情報を表示するページを構成して応答する。
【００２８】
なお例えば企業Ａの各個人にとっては、企業ＩＤ等の入力・確認の処理を介在することで自動的に自社の企業ＡＷｅｂページのみへアクセス・閲覧が可能である。他社Ｗｅｂページへはアクセス・閲覧ができないように制御される。そのため例えば企業Ａの個人にとっては、本システムへのアクセスは、自社専用のＷｅｂサイトへのアクセスとして見える。
【００２９】
Ｗｅｂデザイナー等の本Ｗｅｂサイトの管理者等の側では、企業Ｗｅｂページを構成するためのフォーマットやテンプレート等、その他のデータである企業Ｗｅｂページテンプレート２０１を作成・管理する。このテンプレート２０１は、企業毎に異なるデータが含まれない共通のデータ（例えばＨＴＭＬファイル）である。このテンプレート２０１をもとに、後述のＣｏｏｋｉｅデータと対応させることで、各企業Ｗｅｂページ（企業ＡＷｅｂページ等）が構成される。
【００３０】
サービス情報ＤＢ８０は、本Ｗｅｂサイトで提供する例えば持ち株情報照会サービスに関する情報、クライアント情報ＤＢなどである。例えば、企業Ａサービス情報は、企業Ａ単位の持ち株数などの情報を含み、個人ａサービス情報では、企業Ａの個人ａ単位の持ち株数情報や取引履歴などの情報を含む。
【００３１】
なお、適用の対象は、企業（企業Ｗｅｂページ）に限らず、公的な組織など、各種のグループ単位で可能なことは言うまでもない。
【００３２】
［処理］
図３において、本システム（特にＷｅｂサイトシステム１）におけるクライアント−サーバ間での通信や各種の処理（特にＣｏｏｋｉｅマッピング処理）などについて示している。以下本システムでの処理の詳細例について説明する。
【００３３】
企業毎データ登録部２０における登録用Ｗｅｂページ内には、所定の入力フォームを有し、入力フォームには、企業データを入力するための所定の項目を有する。例えば、本実施の形態では、テキスト、画像、ページ遷移、といった少なくとも３つの項目を有する（図１）。これらの項目は、企業毎に異ならせることができる要素に対応し、企業Ｗｅｂページテンプレート２０１に対応して予め設計される。
【００３４】
テキストの項目では、該当の企業Ｗｅｂページ内に表示するテキスト（文言等）のデータ（対応するファイル等）を登録する。
【００３５】
画像の項目では、該当の企業Ｗｅｂページ内に表示する画像のデータ（対応するファイル等）を登録する。
【００３６】
ページ遷移の項目では、該当の企業Ｗｅｂページ（１つ以上のページから成る）のページの遷移を制御するための情報（対応するファイル等）を登録する。テンプレート２０１に示すように、企業Ｗｅｂページは例えば複数のページＰ１〜Ｐｍから構成でき、それらの複数のページから選択使用する複数のページの遷移の順序などの表示方法を設定することができる。
【００３７】
なお企業毎データ５０では、企業毎（企業ＩＤ等で識別される）に、テキストや画像のデータ本体（ファイル名等の管理情報を含む）が管理される。
【００３８】
企業毎Ｃｏｏｋｉｅデータ生成部２１は、企業毎データ５０（例えば企業Ａデータ５０Ａ）から、当該企業（例えば企業Ａ）に対応する企業毎Ｃｏｏｋｉｅデータ６０（例えば企業ＡＣｏｏｋｉｅデータ６０Ａ）を生成する。なお企業毎Ｃｏｏｋｉｅデータ６０の各Ｃｏｏｋｉｅデータの識別子（ファイル名など）なども管理される。図３の例では、企業Ａデータ５０Ａは、企業Ａページ遷移制御情報（Ｃ１）と、企業Ａテキスト（Ｔ１）と、企業Ａ画像（Ｇ１）と、を含んだデータ（ファイル）である。企業Ａページ遷移制御情報（Ｃ１）は、テンプレート２０１の複数のページＰ１〜Ｐｍの遷移等を制御する情報である。企業Ａテキスト（Ｔ１）は、テンプレート２０１の指定のページの指定の位置に埋め込まれるテキストデータ、及びその制御のためのコード等である。２０２は、当該ページ中の当該テキスト（Ｔ１）を埋め込む企業毎テキスト部を示す。企業Ａ画像（Ｇ１）は、テンプレート２０１の指定のページの指定の位置に埋め込まれる画像データ、及びその制御のためのコード等である。２０３は、当該ページ中の当該画像（Ｇ１）を埋め込む企業毎画像部を示す。
【００３９】
Ａ１は、クライアント（企業）−コンピュータ（端末）３のＷｅｂブラウザ３０、例えば企業Ａの個人ａの端末３のＷｅｂブラウザから、本Ｗｅｂサーバ１０のＷｅｂページへアクセスする通信を示す。特に、トップ（共通）Ｗｅｂページ４０に初回アクセスする場合である。この際、Ｗｅｂブラウザ３０ＡからＷｅｂサーバ１０へ、自社の企業ＩＤ（ないしパスワード等）の情報（３０１）を入力または取り出して送信する。また、自分の個人ＩＤ等を併せて入力・送信してもよい。例えば、トップＷｅｂページ中のログインのフォームに企業ＩＤ等を入力する。
【００４０】
Ｗｅｂサーバ１０は、Ｗｅｂブラウザ３０からの企業ＩＤ等が正当であることを確認した場合、当該企業ＩＤに対応付けられる企業Ｗｅｂページへ遷移させる。即ち、例えば企業ＡＷｅｂページ４１Ａを構成してＷｅｂブラウザ３０へ応答する。Ａ２は、企業ＡＷｅｂページ４１Ａのアクセスまたは応答の通信を示す。本例では、上記企業ＩＤの確認後、自動的に企業ＡＷｅｂページ４１Ａを構成してＷｅｂブラウザ３０Ａへ応答する場合とする。
【００４１】
企業ＡＷｅｂページ４１Ａの構成処理の例は以下である。
【００４２】
Ｗｅｂサーバ１０は、サービス情報ＤＢ８０から、企業Ａに対応した企業Ａサービス情報（例えば企業Ａの現在の持ち株情報）を取り出す（なお企業ＡＷｅｂページ４１Ａの最初の表示の際に当該サービス情報を表示しない場合は取り出す必要は無い）。また、Ｗｅｂサーバ１０は、Ｃｏｏｋｉｅマッピング部１１の処理を用いて、当該企業ＩＤの企業Ａに関するＣｏｏｋｉｅデータ（企業ＡＣｏｏｋｉｅデータ６０Ａ）とのマッピング処理を行う。
【００４３】
Ｃｏｏｋｉｅマッピング部１１は、マッピングテーブル７０を参照し、該当の企業ＩＤ（企業Ａ）に対応付けられる企業ＡＣｏｏｋｉｅデータ６０Ａを特定し、データベース（企業毎Ｃｏｏｋｉｅデータ６０）から取り出す。Ｃｏｏｋｉｅマッピング部１１は、取り出した企業ＡＣｏｏｋｉｅデータ６０Ａを、テンプレート２０１の企業Ｗｅｂページ（ページＰ１〜Ｐｍ）に対して適用する。
【００４４】
Ｗｅｂサーバ１０は、企業ＡＣｏｏｋｉｅデータ６０Ａの中に記述されている企業Ａページ遷移制御情報（Ｃ１）（ＵＲＬデータ）をもとに、複数のページＰ１〜Ｐｍの遷移を制御する。また、企業ＡＣｏｏｋｉｅデータ６０Ａの中に記述されている企業Ａテキスト（Ｔ１）（テキストデータ）により、該当のページ内の所定の位置（２０２）での当該テキストの表示が制御される（Ｗｅｂブラウザ３０Ａ側で行われる）。同様に企業Ａ画像（Ｇ１）（画像ファイル名データ）により、該当のページ内の所定の位置（２０３）での当該画像の表示が制御される。
【００４５】
Ｗｅｂサーバ１０は、上記テンプレート２０１のうちの応答（表示）すべきページ（例えばＰ１）と、上記の必要な企業Ａサービス情報と、上記マッピング処理による企業ＡＣｏｏｋｉｅデータ６０Ａと、を合わせて適用することで、企業ＡＷｅｂページ４１Ａを構成する。Ｗｅｂサーバ１０は、構成したデータを、Ｗｅｂブラウザ３０Ａへ応答（送信）する。
【００４６】
Ｗｅｂブラウザ３０Ａ側では、Ｗｅｂサーバ１０から受信したデータを用いて、端末３の画面に、企業ＡＷｅｂページ４１Ａを表示する処理を行う。その際は、テンプレート２０１のＨＴＭＬファイル等と、企業ＡＣｏｏｋｉｅデータ６０Ａの内容とを解釈等して当該ページを組み立てて表示する。
【００４７】
また、Ｗｅｂブラウザ３０Ａは、Ｗｅｂサーバ１０側から提供された企業ＡＣｏｏｋｉｅデータ６０Ａに対応するデータ（企業ＡＣｏｏｋｉｅデータ３０２）を端末３（Ｗｅｂブラウザ３０Ａ）内に保存し管理し、次回以降の当該ページへのアクセスにて使用する。企業ＡＣｏｏｋｉｅデータ３０２は、企業ＡＣｏｏｋｉｅデータ６０Ａと同等であり、企業ＡＣｏｏｋｉｅデータ６０Ａに修正が入った場合、Ｗｅｂブラウザ３０Ａは、Ｗｅｂサーバ１０側から提供される修正された企業ＡＣｏｏｋｉｅデータ６０Ａに対応するデータ（企業ＡＣｏｏｋｉｅデータ３０２）を端末３（Ｗｅｂブラウザ３０Ａ）内に保存する。
【００４８】
Ａ３は、Ａ２の企業ＡＷｅｂページ４１Ａの表示の後に、個人毎の情報、例えば個人ａ情報（サービス情報）を表示するページに遷移する場合の通信を示す。例えば、個人ａは、企業ＡＷｅｂページ４１Ａ内の項目を操作して、個人ａのサービス情報（例えば自分の持ち株数などの情報）の照会を要求する。この要求には例えば個人ａのＩＤ等の必要な情報が含まれる。Ｗｅｂサーバ１０は、当該要求を受信すると、サービス情報ＤＢ８０を個人ａのＩＤ等を用いて検索し、その結果である個人ａサービス情報を取得する（図２）。そして、取得した情報を用いて、その個人ａ情報を表示するためのページ（個人ａ情報４１Ａａ）を構成して応答し、Ｗｅｂブラウザ３０Ａにて画面に表示する。
【００４９】
［効果等］
本実施の形態の企業Ｗｅｂページ管理システムによれば、Ｗｅｂページの管理者・作成者等（Ｗｅｂデザイナー等）の負担を軽減でき、多数（千以上）の企業毎のＷｅｂページを取り扱うこと等が実現できる。本システムは、前述した従来技術例（第１の従来技術、第２の従来技術）とは異なり、多数の企業等のグループ単位毎に異なる内容のページ構成を、少ない手間（人的な負担）、コスト、ハードウェア・ソフトウェア、等により実現できる。Ｗｅｂデザイナー等によるページの作成・修正・保守等の負担も軽くなり、作業等がしやすくなる。
【００５０】
また、本システムでは、Ｃｏｏｋｉｅを利用した比較的処理負荷等が軽い構成であるため、ＪＳＰ等の技術の利用が不必要であり、Ｗｅｂサーバ１０側の情報処理の負荷も低く、比較的安価に実現できる。またＣｏｏｋｉｅを利用した比較的処理負荷等が軽い構成であるため、多数（例えば千以上）の企業等を対象としてＷｅｂページ及びそのサービスを管理・提供することができる。また、企業毎データ登録部２０を設けることで、クライアント企業側も自社のＷｅｂページの表示内容の変更等がしやすい。
【００５１】
本システムの対象は、企業・個人の持ち株情報の紹介サービスのシステムに限らず、複数の企業等のグループ単位をクライアントとして所定のサービスのためのＷｅｂページ（サービス）を提供するものであれば、各種適用可能である。例えばＢｔｏＢの企業ポータルＷｅｂサイト等のシステムに好適である。特に、Ｗｅｂページ画面の見た目のデザインや機能が重くなく、要求レスポンスが高速で、定型的なサービスを提供するようなＷｅｂサイト等の場合に好適である。
【００５２】
なお、Ｃｏｏｋｉｅは、一般的には個人情報管理などの点で情報セキュリティ上の問題になり得るが、本システムでは、Ｃｏｏｋｉｅの用途がそれとは異なり、問題になり得る個人情報などを扱うのではなく、あくまで企業Ｗｅｂページの構成のために利用するものである。本システムでは、Ｗｅｂサーバ１０−Ｗｅｂブラウザ３０間で通信する際（Ａ２）、そのＣｏｏｋｉｅデータ中には、セキュリティ上問題となり得るような個人情報（例えば企業の従業員の個人情報等）等は含めない。ただ、公知の暗号化技術等を利用して、そのＣｏｏｋｉｅデータの通信の際に、Ｃｏｏｋｉｅデータ内容の暗号化等を施して、高セキュリティ化を図っても構わない。
【００５３】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００５４】
本発明は、企業や各種の組織等のＷｅｂページのシステムなどに利用可能である。
【符号の説明】
【００５５】
１…Ｗｅｂサイトシステム
２…企業コンテンツ管理システム（Ｃｏｏｋｉｅ生成システム）
３…クライアント（企業）−コンピュータ（端末）
１０…Ｗｅｂサーバ
１１…Ｃｏｏｋｉｅマッピング部
１２…Ｗｅｂページ
２０…企業毎データ登録部
２１…企業毎Ｃｏｏｋｉｅデータ生成部
３０，３０Ａ，３０Ｂ，３０Ｃ…Ｗｅｂブラウザ
４０…共通（トップ）Ｗｅｂページ
４１，４１Ａ，４１Ｂ，４１Ｃ…企業Ｗｅｂページ
４１Ａａ…個人ａ情報
５０，５０Ａ，５０Ｂ，５０Ｃ…企業毎データ
６０，６０Ａ，６０Ｂ，６０Ｃ…企業毎Ｃｏｏｋｉｅデータ
７０…マッピングテーブル
８０…サービス情報ＤＢ
９０…インターネット
２０１…テンプレート（企業Ｗｅｂページテンプレート）
２０２…企業毎テキスト部
２０３…企業毎画像部
３０１…企業Ａ−ＩＤ／ＰＷ
３０２…企業ＡＣｏｏｋｉｅデータ
【図１】
0005468950.tif 000002
【図２】
0005468950.tif 000003
【図３】
0005468950.tif 000004